(57)【要約】【課題】収納時の大きさを小さくする。【解決手段】非記録動作時の記録媒体の収納方向と記録動作時の記録媒体搬送方向とを異ならせる。非記録動作時の記録媒体収納位置と記録動作時の記録媒体搬送位置とを記録媒体平面の面上にて移動する。【選択図】　　　　図１
2004130617.tif 000002
【特許請求の範囲】
【請求項１】
画像を記録する記録手段と、
記録媒体を搬送する搬送手段と、
非記録動作時に記録媒体をスタックしておく記録媒体スタック部を備えた記録装置において、
非記録動作時の記録媒体の収納方向と記録動作時の記録媒体搬送方向とが異なることを特徴とする記録装置。
【請求項２】
非記録動作時の記録媒体の収納方向と記録動作時の記録媒体搬送方向とが直角であることを特徴とする請求項１の記録装置。
【請求項３】
非記録動作時の記録媒体スタック部が記録動作時に記録媒体平面の面上にて移動されることを特徴とする請求項１〜２の記録装置。
【請求項４】
非記録動作時の記録媒体スタック部が記録動作時に記録媒体平面の面上にて回転されることを特徴とする請求項１〜３の記録装置。
【請求項５】
非記録動作時の記録媒体スタック部が記録動作時に記録媒体平面の面上にて回転され、記録媒体収納方向と記録媒体搬送方向とが直角となることを特徴とする請求項１〜４の記録装置。
【発明の詳細な説明】
【０００１】
【発明の属する技術分野】
本発明は画像を記録する記録手段と、記録媒体を搬送する搬送手段と、非記録動作時に記録媒体をスタックしておく記録媒体スタック部を備えた記録装置に関するものである。
【０００２】
【従来の技術】
従来、この種の画像記録装置としては、記録ヘッドをキャリッジに搭載してキャリッジを記録材搬送幅方向に移動して記録材表面に記録を行う、いわゆるシリアル記録装置がある。このシリアル記録装置では、記録材の搬送とキャリッジによる記録とを交互に繰り返しながら記録材上に画像を記録していく。
【０００３】
また他の方式として、記録ヘッドが記録材搬送幅方向全幅にわたり設置され、キャリッジの移動動作を伴わず、記録材表面に記録を行う、いわゆるライン方式記録装置がある。
【０００４】
近年ではこのようなどちらかの方式の記録装置を用い、持ち運び可能な、もしくは収納しやすさを考慮した記録装置の要求が高まっている。
【０００５】
【発明が解決しようとする課題】
この中、可搬性、収納性が考慮された記録装置を考える上で、装置の投影面積に匹敵する面積をもつ記録媒体そのものの収納性が非常に大き課題となっている。
【０００６】
可搬性、収納性が考慮された記録装置は極力小さく構成され、通常給紙のためにスタックされている記録媒体は装置の投影面積に対して十分大きく、はみだした形となったり、持ち運ぶため、収納するためには不都合な場所に位置することとなってしまう問題があった。またそのため、持ち運び、収納時は記録媒体を装置本体とは離し、持ち運び、収納せざるを得ない、煩わしさがあった。
【０００７】
またさらに以下のような問題もあった。
【０００８】
特に前述のシリアル方式記録装置においてはキャリッジのスキャン幅が必要なため記録媒体の幅に対してかなり大きな装置幅が必要となり、そのため、記録媒体の搬送方向は記録媒体の長手方向とすることが通常となっている。結果記録媒体給紙のためのスタック部、もしくは排紙のためのスタック部を除いた装置サイズは記録媒体搬送方向に対して、キャリッジスキャン方向の方が長くなるのが通常となる。以上より使用時の記録媒体のスタック部は大きく記録媒体の搬送方向に出っ張ることとなり、持ち運び、収納時の障害となってしまう。
【０００９】
本発明は上記の従来技術の課題を解決するためになされたもので、その目的とするところは、記録媒体を搬送する搬送手段と、非記録動作時に記録媒体をスタックしておく記録媒体スタック部を備えた記録装置において記録媒体をも含めた可搬性、収納性が考慮された記録装置を提供することにある。
【００１０】
【課題を解決するための手段】
上記目的を達成するため、本出願に係る第一の発明は画像を記録する記録手段と、記録媒体を搬送する搬送手段と、非記録動作時に記録媒体をスタックしておく記録媒体スタック部を備えた記録装置において、非記録動作時の記録媒体の収納方向と記録動作時の記録媒体搬送方向とを異ならせることを特徴とする。
【００１１】
さらには、画像を記録する記録手段と、記録媒体を搬送する搬送手段と、非記録動作時に記録媒体をスタックしておく記録媒体スタック部を備えた記録装置において、非記録動作時の記録媒体の収納方向と記録動作時の記録媒体搬送方向とを直角とすることを特徴とする。
【００１２】
さらには、画像を記録する記録手段と、記録媒体を搬送する搬送手段と、非記録動作時に記録媒体をスタックしておく記録媒体スタック部を備えた記録装置において、非記録動作時の記録媒体収納位置と記録動作時の記録媒体搬送位置とを記録媒体平面の面上にて移動することを特徴とする。
【００１３】
さらには、画像を記録する記録手段と、記録媒体を搬送する搬送手段と、非記録動作時に記録媒体をスタックしておく記録媒体スタック部を備えた記録装置において、非記録動作時の記録媒体収納位置と記録動作時の記録媒体搬送位置とを記録媒体平面の面上にて回転することを特徴とする。
【００１４】
さらには、画像を記録する記録手段と、記録媒体を搬送する搬送手段と、非記録動作時に記録媒体をスタックしておく記録媒体スタック部を備えた記録装置において、非記録動作時の記録媒体スタック部が記録動作時に記録媒体平面の面上にて回転され、記録媒体収納方向と記録媒体搬送方向とが直角となることを特徴とする。
【００１５】
上記構成において、記録媒体をも含めた可搬性、収納性が考慮された記録装置を提供することが可能となる。
【００１６】
【発明の実施の形態】
以下添付図面を参照して本発明の好適な実施の形態について詳細に説明する。
【００１７】
図１は本発明の代表的な実施形態であるインクジェット方式に従って記録を行う記録ヘッドを備えた記録装置の概略構成を示す斜視図である。図１に示すように、蓋ケース部１２とベースケース部４は収納状態では閉状態となっている。
【００１８】
一方図２は本発明による記録装置が使用状態にあるところを示し、図１から図２に示すような印字可能状態へとなるためには、図中右上方の装置後方部をヒンジとして、ベースケース部４及び蓋ケース部１２が開状態とならなければならない。
【００１９】
図１の１５は記録媒体収納部を示し、蓋ケース部１２上に設置され、図２で示す使用時の記録媒体６搬送方向に対して９０°傾けた状態で記録媒体６を収納している。結果記録媒体６は図２中６．ａに示す様に使用時は装置本体から出っ張った状態でスタックされているが、収納時は図１中示すとおり、装置本体内に納まる形で収納されている。
【００２０】
以下さらに図１及び図２及び図３を用い、印字部１６を含め説明する。図３は図２に示す印字部１６を拡大した斜視図である。
【００２１】
図３に示す様に記録ヘッド１はこれにインクを供給するインクタンク７とともに連結一体化されたインクカートリッジ２０から構成される。
また、この記録ヘッドは、特にインクジェット記録方式の中でも、インク吐出を行わせるために利用されるエネルギーとして熱エネルギーを発生する手段を備え、その熱エネルギーによりインクの状態変化を生起させる方式を用いることにより記録の高密度化、高精細化を達成している。
【００２２】
図３において、記録ヘッド１は図中下向きにインクを吐出する姿勢でキャリッジ２に搭載されており、キャリッジ２をガイド軸３に沿って移動させながらインク液滴を吐出して記録用紙のような記録媒体（不図示）上に画像を形成していく。なお、キャリッジ２の左右移動（往復移動）は不図示のキャリッジモータの回転によりタイミングベルト５を介して行われる。
【００２３】
さて、記録ヘッド１走査分の記録が終了すると、記録動作を中斬し、プラテン８上に位置する記録媒体６を不図示のフィードモータの駆動により搬送ローラ９にて所定量だけ搬送し、次いで再びキャリッジ２をガイド軸３に沿って移動させながら次の１走査分の画像形成を行う。
【００２４】
記録媒体６は図２及び図３にて示すように装置下方に設置されたスタック部１０にスタックされた記録媒体６．ａの状態から給紙ローラ１１にて一枚ずつ給紙分離され、搬送ローラ９を経由してプラテン８へと受け渡される。さらに記録媒体６は図２及び図３にて示すように装置後方上方へと導かれ、蓋ケース部１２に設けられた排紙スタック部１３に６．ｂの状態にスタックされていく。
【００２５】
図４は本発明の第二実施例を示した図であり、ベースケース部４と給紙スタック部１０を示した図である。ベースケース部４と給紙スタック部１０は給紙スタック部回転支点１０．ｃにて回転可動に連結されており、装置本体が収納状態の時には、図中１０．ｂにて示す様に記録媒体長手方向が装置横方向となるような回転位置に固定されている。結果記録媒体６は装置から出っ張らない状態で収納保持されている。一方装置使用時には図中１０．ａにて示すように記録媒体長手方向が装置縦方向すなわち記録媒体の搬送方向となるように給紙スタック部１０が回転固定されている。
【００２６】
図５は本発明の第三実施例を示した図であり、ベースケース部４と給紙スタック部１０を示した図である。ベースケース部４に対して給紙スタック部１０は図中上下方向、すなわち装置の前後方向に可動に連結されており、装置本体が収納状態の時には、図中１０．ｂにて示す様に装置後方に移動された状態となっており、結果記録媒体６は装置から出っ張らない状態で収納保持されている。一方装置使用時には図中１０．ａにて示すように給紙スタック部１０は装置前方に移動された状態となっている。これにより前述の印字部１６に対してスタックされた記録媒体６を適切な位置へと移動している。
【００２７】
以上の構成において、記録媒体をも含めた可搬性、収納性が考慮された記録装置となる。
【００２８】
【発明の効果】
以上説明したように本出願に係る第一の発明によれば、画像を記録する記録手段と、記録媒体を搬送する搬送手段と、非記録動作時に記録媒体をスタックしておく記録媒体スタック部を備えた記録装置において、非記録動作時の記録媒体の収納方向と記録動作時の記録媒体搬送方向とを異ならせることにより、さらには、画像を記録する記録手段と、記録媒体を搬送する搬送手段と、非記録動作時に記録媒体をスタックしておく記録媒体スタック部を備えた記録装置において、非記録動作時の記録媒体の収納方向と記録動作時の記録媒体搬送方向とを直角とすることにより、さらには、画像を記録する記録手段と、記録媒体を搬送する搬送手段と、非記録動作時に記録媒体をスタックしておく記録媒体スタック部を備えた記録装置において、非記録動作時の記録媒体収納位置と記録動作時の記録媒体搬送位置とを記録媒体平面の面上にて移動することにより、さらには、画像を記録する記録手段と、記録媒体を搬送する搬送手段と、非記録動作時に記録媒体をスタックしておく記録媒体スタック部を備えた記録装置において、非記録動作時の記録媒体収納位置と記録動作時の記録媒体搬送位置とを記録媒体平面の面上にて回転することにより、さらには、画像を記録する記録手段と、記録媒体を搬送する搬送手段と、非記録動作時に記録媒体をスタックしておく記録媒体スタック部を備えた記録装置において、非記録動作時の記録媒体スタック部が記録動作時に記録媒体平面の面上にて回転され、記録媒体収納方向と記録媒体搬送方向とが直角となることにより、記録媒体をも含めた可搬性、収納性が考慮された記録装置を提供することが可能となる。
【図面の簡単な説明】
【図１】本発明の実施形態であるインクジェット方式に従って記録を行う記録ヘッドを備えた記録装置の概略構成を示す斜視図であり、収納時の状態を示す図である。
【図２】使用時の記録装置全体を示す斜視図である。
【図３】印字部を拡大した斜視図である。
【図４】第二実施例の概略構成を示す平面図であり、収納時と使用時の状態を示す図である。
【図５】第三実施例の概略構成を示す平面図であり、収納時と使用時の状態を示す図である。
【符号の説明】
１　記録ヘッド
２　キャリッジ
３　ガイド軸
４　ベースケース部
５　タイミングベルト
６　記録媒体
７　インクタンク
８　プラテン
９　搬送ローラ
１０　給紙スタック部
１１　給紙ローラ
１２　蓋ケース部
１３　排紙スタック部
１４　給紙ユニット部
１５　記録媒体収納部
１６　印字部
【図１】
2004130617.tif 000003
【図２】
2004130617.tif 000004
【図３】
2004130617.tif 000005
【図４】
2004130617.tif 000006
【図５】
2004130617.tif 000007